(57)【要約】【課題】発光部の回路構成を複雑にしないで、各発光ダイオードに生産ばらつきがあったとしても、歩留まりを向上させて生産性を上げるとともに、混色光の色調整を精度よく容易に行う。【解決手段】先ず、定電流源５から各発光ダイオード４０，４１，４２に電流が流れたときに、光センサ２が白色光を検出する。続いて、光センサ２が検出した白色光を分光し、赤色光、緑色光及び青色光の強度を検出する。その後、比較部３１が赤色光、緑色光及び青色光の強度をそれぞれ光センサ２から検出値として入力し、検出値が、記憶部３０に予め記憶されている基準値と一致するか否かの比較を行う。上記比較結果より検出値が基準値と異なる場合に、検出値が基準値と一致するように、設定部３２が可変抵抗４３，４４，４５の抵抗値の大きさを設定する。【選択図】図１
2007080882.tif 000002
【特許請求の範囲】
【請求項１】
複数の発光ダイオードと前記複数の発光ダイオードのそれぞれに並列に接続する複数の限流素子とを含む発光部から放射される発色光によって生成される混色光を検出し、検出された前記混色光を分光することによって前記各発色光の強度を求める光センサと、
前記各発色光の強度の基準値を予め記憶する記憶手段と、
前記各発色光の強度を前記光センサから検出値として入力し、前記検出値が前記基準値と一致するか否かの比較を行う比較手段と、
前記比較結果より前記検出値が前記基準値と異なる場合に、前記検出値が前記基準値と一致するように前記複数の限流素子のパラメータを設定する設定手段と
を備えることを特徴とする光調整装置。
【請求項２】
複数の発光ダイオードと前記複数の発光ダイオードのそれぞれに並列に接続する複数の限流素子とを含む発光部から放射される発色光によって生成される混色光の色度を検出する光センサと、
前記混色光の色度の基準値を予め記憶する記憶手段と、
前記混色光の色度を前記光センサから検出値として入力し、前記検出値が前記基準値と一致するか否かの比較を行う比較手段と、
前記比較結果より前記検出値が前記基準値と異なる場合に、前記検出値が前記基準値と一致するように前記複数の限流素子のパラメータを設定する設定手段と
を備えることを特徴とする光調整装置。
【発明の詳細な説明】
【技術分野】
【０００１】
本発明は、複数の発光ダイオードから放射される発色光によって生成される混色光の色を調整する光調整装置に関するものである。
【背景技術】
【０００２】
従来、照明器具として、複数の発光ダイオードのそれぞれが複数の発色光のいずれかを放射することにより混色光を生成するものがある。例えば、特許文献１に開示されている照明装置（照明器具）は、赤色発光ダイオード、緑色発光ダイオード及び青色発光ダイオードと、それぞれが赤色発光ダイオード、緑色発光ダイオード及び青色発光ダイオードに対応する複数の点灯回路と、各点灯回路へ調光信号を与える調光信号発生回路とを備えている。上記特許文献１に開示されている照明装置において、記憶部に格納されている調色データに基づいて、上記複数の点灯回路のそれぞれが調光信号発生回路から調光信号を受けて、対応する発光ダイオードへの印加電圧を制御することにより、赤色光、緑色光及び青色光を放射して、使用者の好みに応じた混色光を得ることができる。
【０００３】
ところが、上記照明器具は、各発光ダイオードの生産ばらつきが大きい場合、狙いの混色光を得るためには、生産ばらつきの大きい複数の発光ダイオードの中から特性の優れたものを予め選別しなければならないので、歩留まりが悪くなるという問題があった。また、組み立て後に狙いの混色光を得ることができなかった場合、混色光の色調整を行うことができないという問題もあった。
【０００４】
上記問題を解決するものとして、特許文献２には、複数のＬＥＤチップから放射される複数の異なる波長の光強度を光センサが検出し、光センサの検出値と基準値との差に基づくフィードバック量に従って、操作部が各ＬＥＤチップを操作することにより、各ＬＥＤチップからの光を調整する光源装置（照明器具）が開示されている。
【特許文献１】特開２００４−５５３６１号公報（第４〜７頁及び第１，２図）
【特許文献２】特開２００４−１９３０２９号公報（第６〜１１頁及び第１図）
【発明の開示】
【発明が解決しようとする課題】
【０００５】
しかしながら、上記特許文献２に開示されている照明器具は、発光部であるＬＥＤチップと電気的に接続する素子が設けられていないので、各ＬＥＤチップを駆動する電源そのものを操作しなければならない。このため、ＬＥＤチップごとに電源を設ける必要があり、回路構成が複雑になるという問題があった。
【０００６】
本発明は上記の点に鑑みて為されたものであり、その目的とするところは、発光部の回路構成を複雑にしないで、各発光ダイオードに生産ばらつきがあったとしても、歩留まりを向上させて生産性を上げることができるとともに、混色光の色調整を精度よく容易に行うことができる光調整装置を提供することにある。
【課題を解決するための手段】
【０００７】
請求項１に記載の発明は、複数の発光ダイオードと前記複数の発光ダイオードのそれぞれに並列に接続する複数の限流素子とを含む発光部から放射される発色光によって生成される混色光を検出し、検出された前記混色光を分光することによって前記各発色光の強度を求める光センサと、前記各発色光の強度の基準値を予め記憶する記憶手段と、前記各発色光の強度を前記光センサから検出値として入力し、前記検出値が前記基準値と一致するか否かの比較を行う比較手段と、前記比較結果より前記検出値が前記基準値と異なる場合に、前記検出値が前記基準値と一致するように前記複数の限流素子のパラメータを設定する設定手段とを備えることを特徴とする。
【０００８】
この構成では、混色光を分光して各発色光の強度をそれぞれ基準値と比較し、各発光ダイオードに並列に接続される限流素子のパラメータの大きさを個別に設定して各発色光の強度を調整することができるので、発光部の回路構成を複雑にしないで、各発光ダイオードに生産ばらつきがあったとしても、歩留まりを向上させて生産性を上げることができるとともに、混色光の色調整を精度よく容易に行うことができる。
【０００９】
請求項２に記載の発明は、複数の発光ダイオードと前記複数の発光ダイオードのそれぞれに並列に接続する複数の限流素子とを含む発光部から放射される発色光によって生成される混色光の色度を検出する光センサと、前記混色光の色度の基準値を予め記憶する記憶手段と、前記混色光の色度を前記光センサから検出値として入力し、前記検出値が前記基準値と一致するか否かの比較を行う比較手段と、前記比較結果より前記検出値が前記基準値と異なる場合に、前記検出値が前記基準値と一致するように前記複数の限流素子のパラメータを設定する設定手段とを備えることを特徴とする。
【００１０】
この構成では、混色光の色度を基準値と比較し、各発光ダイオードに並列に接続される限流素子のパラメータの大きさを個別に設定して各発色光の強度を調整することができるので、発光部の回路構成を複雑にしないで、各発光ダイオードに生産ばらつきがあったとしても、歩留まりを向上させて生産性を上げることができるとともに、混色光の色調整を精度よく容易に行うことができる。
【発明の効果】
【００１１】
本発明によれば、発光部の回路構成を複雑にしないで、各発光ダイオードに生産ばらつきがあったとしても、歩留まりを向上させて生産性を上げることができるとともに、混色光の色調整を精度よく容易に行うことができる。
【発明を実施するための最良の形態】
【００１２】
（実施形態１）
本発明の実施形態１について図１を用いて説明する。図１は、実施形態１の光調整装置の構成を示す概略図である。
【００１３】
先ず、実施形態１の基本的な構成について説明する。実施形態１の光調整装置１は、図１に示すように、光センサ２と、点灯制御装置３とを備え、発光部（ＬＥＤパッケージ）４と接続している。
【００１４】
発光部４は、赤色発光ダイオード４０と、緑色発光ダイオード４１と、青色発光ダイオード４２と、３つの可変抵抗４３，４４，４５とを備えている。赤色発光ダイオード４０、緑色発光ダイオード４１及び青色発光ダイオード４２は、定電流源５に対して並列に接続し、定電流源５から電流が流れると赤色光、緑色光及び青色光を放射する。これにより、発光部４は、赤色光、緑色光及び青色光を組み合わせて白色光を生成する。
【００１５】
３つの可変抵抗４３，４４，４５は、それぞれ赤色発光ダイオード４０、緑色発光ダイオード４１、青色発光ダイオード４２と並列に接続している。上記可変抵抗４３，４４，４５は、抵抗値の大きさを変えることにより、各発光ダイオード４０，４１，４２に流れる電流の大きさを変えることができる限流素子である。なお、上記可変抵抗４３，４４，４５は、各発光ダイオード４０，４１，４２とともに実装される電子抵抗であってもよい。
【００１６】
一方、光センサ２は、後述する比較部３１と接続している。定電流源５からの電流が赤色発光ダイオード４０、緑色発光ダイオード４１及び青色発光ダイオード４２に流れたときに、上記光センサ２は、各発光ダイオード４０，４１，４２から放射される発色光から生成される混色光の白色光を検出する。さらに、光センサ２は、分光器であり、検出した白色光を分光し、赤色光、緑色光及び青色光のそれぞれの強度を求めて検出値として比較部３１に出力する。
【００１７】
点灯制御装置３は、記憶部３０と、比較部３１と、設定部３２とを備えている。
【００１８】
記憶部３０は、比較部３１と接続し、赤色光、緑色光及び青色光の強度の基準値を予め記憶している。上記強度の基準値は、各発光ダイオード４０，４１，４２のそれぞれと同じロットの発光ダイオードの初期状態での強度の平均値である。
【００１９】
比較部３１は、光センサ２と接続し、さらに記憶部３０及び設定部３２と接続している。上記比較部３１は、定電流源５が赤色発光ダイオード４０、緑色発光ダイオード４１及び青色発光ダイオード４２に電流が流れたときに、赤色光、緑色光及び青色光の強度を光センサ２から検出値として入力する。その後、比較部３１は、上記検出値が、記憶部３０に記憶されている基準値と一致するか否かの比較を行い、比較結果に基づく比較信号を設定部３２に出力する。上記比較において検出値が基準値と一致するとは、検出値が基準値と等しい場合だけでなく、検出値が基準値の上下１０％以内にある場合も含んでいる。これにより、検出値のばらつきの影響を取り除くことができる。
【００２０】
設定部３２は、比較部３１と接続している。上記設定部３２は、比較部３１から比較信号を発色光ごとに入力し、検出値が基準値と異なっていると、検出値が基準値と一致するように、該当する発色光を放射する発光ダイオード４０，４１，４２と並列に接続している可変抵抗４３，４４，４５の抵抗値の大きさを設定する。具体的には、設定部３２は、検出値が基準値より小さいと、発光ダイオード４０，４１，４２に流れる電流が大きくなるように、可変抵抗４３，４４，４５の抵抗値の大きさを大きくする。
【００２１】
次に、実施形態１の光調整装置における白色光の色調整方法について図１を用いて説明する。なお、記憶部３０は、既に、赤色光、緑色光及び青色光の強度の基準値を記憶している。先ず、定電流源５から各発光ダイオード４０，４１，４２に電流が流れたときに、光センサ２が白色光を検出する。続いて、光センサ２が検出した白色光を分光し、赤色光、緑色光及び青色光の強度を検出する。その後、比較部３１が赤色光、緑色光及び青色光の強度をそれぞれ光センサ２から検出値として入力し、検出値が基準値と一致するか否かの比較を行う。上記比較結果より検出値が基準値と異なる場合に、検出値が基準値と一致するように、設定部３２が可変抵抗４３，４４，４５の抵抗値の大きさを設定する。
【００２２】
以上、実施形態１によれば、混色光である白色光を分光して赤色光、緑色光及び青色光の強度をそれぞれ基準値と比較し、赤色発光ダイオード４０、緑色発光ダイオード４１及び青色発光ダイオード４２の電流の大きさを個別に自動的に設定して各発色光の強度を調整することができるので、各発光ダイオード４０，４１，４２に生産ばらつきがあったとしても、歩留まりを向上させて生産性を上げることができるとともに、白色光の色調整を精度よく容易に行うことができる。また、複数の発光ダイオード４０，４１，４２が、一つの定電流源５と接続する構成であるので、発光部１の回路構成を複雑にすることがない。さらに、単一の光センサ２が白色光を分光して赤色光、緑色光及び青色光の強度を個別に検出することができるので、部品点数を減少させることができる。
【００２３】
（実施形態２）
本発明の実施形態２について説明する。
【００２４】
実施形態２の光調整装置は、実施形態１の光調整装置（図１参照）と同様に、点灯制御装置３を備え、発光部４と接続しているが、実施形態１の光調整装置にはない以下に記載の特徴部分がある。
【００２５】
実施形態２の光調整装置は、実施形態１の光センサ２に代えて、色度を検出する光センサを備えている。実施形態２の光センサも、実施形態１の光センサ２と同様に、比較部３１と接続している。定電流源５からの電流が赤色発光ダイオード４０、緑色発光ダイオード４１、青色発光ダイオード４２に流れたときに、上記光センサは、各発光ダイオード４０，４１，４２から放射される発色光から生成される混色光である白色光の色度を検出し、検出値として比較部３１に出力する。
【００２６】
また、実施形態２の点灯制御装置３の記憶部３０は、実施形態１の赤色光、緑色光及び青色光の強度の基準値に代えて、白色光の色度の基準値を予め記憶している。なお、実施形態２の記憶部３０は、上記以外の点において、実施形態１の記憶部と同様である。
【００２７】
次に、実施形態２の光調整装置における白色光の色調整方法について説明する。なお、実施形態２の光調整装置は実施形態１の光調整装置と光センサ２以外において同様の構成であるので、図１を用いて説明する。また、記憶部３０は、既に、白色光の色度の基準値を記憶している。先ず、実施形態１と同様に、定電流源５から各発光ダイオード４０，４１，４２に電流が流れたときに、光センサが白色光の色度を検出する。その後、比較部３１が白色光の色度を光センサ２から検出値として入力し、検出値が基準値と一致するか否かの比較を行う。上記比較結果より検出値が基準値と異なる場合に、検出値が基準値と一致するように、設定部３２が可変抵抗４３，４４，４５の抵抗値の大きさを設定する。
【００２８】
以上、実施形態２によれば、混色光である白色光の色度を基準値と比較し、赤色発光ダイオード４０、緑色発光ダイオード４１及び青色発光ダイオード４２の電流の大きさを個別に自動的に設定して各発色光の強度を調整することができるので、各発光ダイオード４０，４１，４２に生産ばらつきがあったとしても、歩留まりを向上させて生産性を上げることができるとともに、白色光の色調整を精度よく容易に行うことができる。また、複数の発光ダイオード４０，４１，４２が、一つの定電流源５と接続する構成であるので、発光部１の回路構成を複雑にすることがない。
【００２９】
（実施形態３）
本発明の実施形態３について説明する。
【００３０】
実施形態３の光調整装置は、発光部４（図１参照）とともに、照明器具を構成している。上記実施形態３の光調整装置は、実施形態１の光調整装置１（図１参照）と同様に、光センサ２と、点灯制御装置３とを備え、発光部４と接続するとともに、実施形態１の光調整装置１と同様の機能を有する。
【００３１】
以上、実施形態３によれば、常に発光部４と接続しているので、使用開始後においても、発光部４からの発色光による白色光の色調整を行うことができる。
【００３２】
なお、実施形態３の変形例として、実施形態２の光調整装置が、発光部とともに、照明器具を構成してもよい。このような構成にしても、実施形態３と同様の効果を奏することができる。
【００３３】
また、実施形態１〜３のいずれかの変形例として、発光部が、複数の可変抵抗に代えて、他の限流素子を複数備えてもよい。このような構成にしても、実施形態１〜３と同様の効果を奏することができる。
【図面の簡単な説明】
【００３４】
【図１】本発明による実施形態１の光調整装置の構成を示す概略図である。
【符号の説明】
【００３５】
２  光センサ
３０  記憶部
３１  比較部
３２  設定部
４０  赤色発光ダイオード
４１  緑色発光ダイオード
４２  青色発光ダイオード
４３，４４，４５  可変抵抗
５  定電流源
【図１】
2007080882.tif 000003